(57)【要約】【課題】奥行き方向の寸法が他の方向の寸法に比し小さい略横長箱型の本体ケーシングの前面に、フラット化された、室内空気吸込口を開閉する前面パネルを備えた薄型空気調和機において、能力向上を図りながら運転音を低下できるようにした空気調和機を提供すること。【解決手段】本発明の空気調和機は、奥行き方向の寸法が他の方向の寸法に比し小さい略箱型の本体ケーシングの前面に室内空気吸込口が形成され、本体ケーシングの前面側に設けられた前面パネルを移動することにより、前記室内空気吸込口を開閉するとともにその開度を変化させるようにしている。そして、運転音モードとして、運転音を通常とする通常モードと運転音を低くする静かモードとを選択可能とし、静かモードが選択されたときには、前記室内ファンの回転数を低下させずに前記前面パネルによる室内空気吸込口の開度が通常モード時より大きくなるように制御される【選択図】図１
2010276301.tif 000002
【特許請求の範囲】
【請求項１】
奥行き方向の寸法が他の方向の寸法に比し小さい略箱型の本体ケーシングの前面に形成された室内空気吸込口と、本体ケーシングの前面側に設けられた室内空気吸込口を開閉する前面パネルと、本体ケーシング内に取り付けられた室内ファンとを備えた空気調和機であって、
運転音モードとして、運転音を通常とする通常モードと運転音を低くする静かモードとを選択可能とし、静かモードが選択されたときには、前記室内ファンの回転数を低下させずに前記前面パネルによる室内空気吸込口の開度を通常モード時より大きくするように制御される
ことを特徴とする空気調和機。
【請求項２】
前記室内ファンは、空気吸入口が前記室内空気吸込口を向くように、かつ回転軸を前後方向として配置された遠心ファンであり、本体ケーシングにおける室内ファンの左右側方部に室内吹出口が設けられ、さらに、本体ケーシングの内部には室内ファンから吹き出された空気を左右の室内吹出口の方向に流通させる空気通路が形成されるとともに、この空気通路中に室内空気と熱交換する熱交換器が配置されている
ことを特徴とする請求項１記載の空気調和機。
【請求項３】
本体ケーシング内に空調機能を有する複数の空調ユニット部が左右方向に連接された空気調和機であって、各空調ユニット部が請求項２記載の空気調和機の構成を備えていることを特徴とする空気調和機。
【請求項４】
前記前面パネルは、本体ケーシングの前面に対し平行を維持しながら前方に平行移動することにより、本体ケーシングの前面との間に室内空気を吸い込む間隙を形成し、この間隙寸法を可変とすることにより室内空気吸込口の開度を可変とするように形成されていることを特徴とする請求項１〜３の何れか１項に記載の空気調和機。
【請求項５】
前記前面パネルは、平面状のパネルに形成されていることを特徴とする請求項１〜４の何れか１項に記載の空気調和機。
【請求項６】
前記静かモードが選択されたときには、圧縮機の回転数を変化させず、前記前面パネルによる室内空気吸込口の開度のみを前記通常モード時より大きくするように制御されることを特徴とする請求項１〜５の何れか１項に記載の空気調和機。
【請求項７】
請求項１〜６の何れか１項に記載の空気調和機であって、前記運転音モードを選択する運転音モードスイッチを有するとともに、この運転音モードスイッチとは別に運転態様を選択する運転制御スイッチを備えていることを特徴とする空気調和機。
【発明の詳細な説明】
【技術分野】
【０００１】
本願発明は、低騒音運転を行えるようにした空気調和機に関するものである。
【背景技術】
【０００２】
従来、空気調和機と室内雰囲気との調和という観点から、空気調和機の形状に関しより一層の薄型化が求められている。しかし、空気調和機をより一層薄型化するには、室内空気吸込口から熱交換器を介して室内へ空気を吹き出す室内吹出口に至る空気通路に必要なスペースを削減しなければならず、機内空気抵抗が大きくなるという問題がある。また、室内雰囲気と空気調和機との調和という観点から、空気調和機のデザインに関し前面パネルに吸込グリルを設けないものが好まれる傾向にある。このようなニーズに対応した空気調和機としては、例えば特許文献１に記載の空気調和機がある。この空気調和機では、前面パネルに吸込グリルなどの吸込口を設けずに前面パネルと本体ケーシングとの間に間隙を設け、この間隙から本体ケーシングの前面に形成されている室内空気吸込口に対し室内空気を案内するように形成されている。このため、前面パネルと本体ケーシングとの間に形成される間隙により機内通風抵抗が大きく変化する構造となっている。ただし、前面パネルと本体ケーシングの前面との間隙を大きくすると折角の薄型のイメージが損われる。
【０００３】
一方、従来の空気調和機において、運転音を低くして運転を継続したいという場合には、一般に室内ファンの回転数を低下させる方法が採られている。このように運転音を低くするために室内ファンの回転数を低下させる空気調和機の一例としては、特許文献２に記載された空気調和機がある。この特許文献２においては、お休み運転時に運転音を低くするために送風ファンの回転数を低下させている。なお、送風ファンの回転数を低下させると、風量が低下し能力が低下するという問題が生じるため、室内空気吸込口の開度を大きくし風量の低下を抑制するようにしている。
【先行技術文献】
【特許文献】
【０００４】
【特許文献１】特開２００９−２２８８２号公報
【特許文献２】特開第３８０１１９０号公報、段落番号００４５
【発明の概要】
【発明が解決しようとする課題】
【０００５】
しかしながら、前述のように前面パネルに吸込グリルなどの吸込口を設けずに、前面パネルと本体ケーシングとの間に室内空気を吸い込むための間隙を設けたものでは、薄型化のために間隙を十分に大きくすることができない状況にあり、この間隙を通して室内空気を吸い込む通風抵抗が大きくなっていた。また、このため騒音が大きくなっていた。
【０００６】
本発明は、このような背景に鑑み成されたものであって、奥行き方向の寸法が他の方向の寸法に比し小さい略横長箱型の本体ケーシングの前面に室内空気吸込口を開閉する前面パネルを備えた薄型空気調和機において、能力向上を図りながら騒音の低い運転を行えるにした空気調和機を提供することを目的とする。
【課題を解決するための手段】
【０００７】
本発明に係る空気調和機は、奥行き方向の寸法が他の方向の寸法に比し小さい略箱型の本体ケーシングと、本体ケーシングの前面に形成された室内空気吸込口と、本体ケーシングの前面側に設けられた室内空気吸込口を開閉する前面パネルと、本体ケーシング内に取り付けられた室内ファンとを備えた空気調和機であって、運転音モードとして、運転音を
通常とする通常モードと運転音を低くする静かモードとを選択可能とし、静かモードが選択されたときには、前記室内ファンの回転数を低下させずに前記前面パネルによる室内空気吸込口の開度を通常モード時より大きくするように制御されることを特徴とする。ここで、室内空気吸込口の開度とは、前面パネルの開閉により前面パネルと本体ケーシングとの間に形成される間隙の大きさである。
【０００８】
このような構成上の特徴を有する本発明に係る空気調和機によれば、静かモードが選択されたときには、前記室内ファンの回転数を低下させずに前記前面パネルによる室内空気吸込口の開度を通常モード時より大きくするように制御されるので、風量が通常モードの場合よりむしろ多くなり、その分能力向上を図りながら運転音を低くすることができる。また、前面パネルの開閉により室内空気吸込口を開閉するとともにその開度を変更するように形成されているため、前面パネル自体には室内空気を吸い込む吸込口を形成する必要がない。これにより前面パネルを滑らかな面形状とすることができるので、この空気調和機を室内と調和させ易いデザインにすることができる。
【０００９】
また、前記室内ファンは、空気吸入口が前記室内空気吸込口を向くように、かつ回転軸を前後方向として配置された遠心ファンであり、本体ケーシングにおける室内ファンの左右側方部に室内吹出口が設けられ、さらに、本体ケーシングの内部には室内ファンから吹き出された空気を左右の室内吹出口の方向に流通させる空気通路が形成されるとともに、この空気通路中に室内空気と熱交換する熱交換器が配置されているようにしてもよい。このように構成すると、室内ファンの寸法により空気調和機の前後方向寸法が決定されるので、この空気調和機を超薄型に形成することができる。
【００１０】
また、本体ケーシング内に空調機能を有する複数の空調ユニット部が左右方向に連接された空気調和機であって、各空調ユニット部が上記空気調和機の構成を備えるようにしてもよい。このようにすると、超薄型の空気調和機を実現しながら能力の大きい空気調和機を形成することができる。また、このように能力を大きくした空気調和機においても前述と同様に前面パネルによる室内空気吸込口の開度を変更させることにより静か運転を行うことができる。
【００１１】
また、前記前面パネルは、本体ケーシングの前面に対し平行を維持しながら前方に平行移動することにより、本体ケーシングの前面との間に室内空気を吸い込む間隙を形成し、この間隙寸法を可変とすることにより室内空気吸込口の開度を可変とするように形成されていることが好ましい。このように構成すると、前面パネルが傾斜して開放されないため薄型の空気調和機のイメージを残しながら室内空気吸込口から室内空気を吸い込むことができる。
【００１２】
また、前記前面パネルは、平面状のパネルに形成されていることが好ましい。このように構成すると、シンプルなデザインとなり室内との調和を図ることが容易になるとともに薄型のイメージをより一層発揮することができる。
【００１３】
また、前記静かモードが選択されたときには、送風機のみならず圧縮機の回転数をも変化させず、前記前面パネルによる室内空気吸込口の開度のみを前記通常モード時より大きくするようにしてもよい。このように構成すると、空気調和機の能力を大きく変更することなく運転音のみを変更することができる。
【００１４】
また、本発明に係る空気調和機は、上記の構成において、前記運転音モードを選択する運転音モードスイッチを有するとともに、この運転音モードスイッチとは別に運転態様を選択する運転制御スイッチを備えているようにすることもできる。このように構成すれば、運転音モードの選択と、運転態様の選択とが区別して操作することができる。したがっ
て、運転音モードと運転態様との組合せにより多様な運転を行うことができる。
【発明の効果】
【００１５】
本発明に係る空気調和機によれば、静かモードが選択されたときには、前記室内ファンの回転数を低下させずに前記前面パネルによる室内空気吸込口の開度を通常モード時より大きくするように制御されるので、風量が通常モードの場合より多くなり、その分能力向上を図りながら運転音を低くすることができる。また、前面パネル自体には室内空気を吸い込む吸込口を形成する必要がないので、前面パネルをシンプルな面形状とすることができ、この空気調和機を室内と調和させ易いデザインにすることができる。
【図面の簡単な説明】
【００１６】
【図１】本発明の実施の形態に係る空気調和機の制御回路を示したブロック図である。
【図２】同空気調和機の運転停止状態における正面側から見た斜視図である。
【図３】同空気調和機の静かモードで運転中の状態における正面側から見た斜視図である。
【図４】同空気調和機の平面図であって、（ａ）は通常モードによる運転状態の平面図であり、（ｂ）は静かモードによる運転状態の平面図である。
【図５】同空気調和機の静かモードによる運転状態の部分平断面図である。
【図６】同空気調和機における室内吹出口に取り付けられた風向板部分の正面図である。
【図７】同空気調和機における熱交換器の斜視図である。
【図８】同空気調和機における過冷却熱交換器の斜視図である。
【図９】同空気調和機における室内空気吸込口に配設されている前面パネルの開閉機構の説明図であって、（ａ）は閉鎖状態の説明図であり、（ｂ）は静かモードによる運転状態の説明図である。
【図１０】同空気調和機における運転音モードに対する騒音変化状態説明図である。
【発明を実施するための形態】
【００１７】
本発明の実施の形態に係る空気調和機の制御回路を図１に示しているが、これについて説明する前に、この実施の形態に係る空気調和機の構造を図２〜図９に基づき説明する。
本実施の形態に係る空気調和機は、図２〜図５に示すように、一つの本体ケーシング１内に二つの空調ユニット部Ａが横方向に連接された状態に形成されている。各空調ユニット部Ａは、従来一般の空気調和機と同様の構成要素により形成されている。
【００１８】
各空調ユニット部Ａは、図５の静かモードによる運転状態の部分平断面図に示すように、それぞれの横方向の略中央部に遠心ファンからなる室内ファン２が配置されている。室内ファン２は、回転軸を前後方向にするとともに空気吸入口２ａを前面の室内空気吸込口３に向けて配置されている。室内ファン２の前側部分の周囲には、図５に示すように、室内ファン２の吹出側と吸込側とを仕切るように発泡樹脂等により形成された仕切部材２ｂが配置されている。そして、室内空気吸込口３はこの仕切部材２ｂにより本体ケーシング１の前面に形成された開口部である。また、この室内ファン２の左右側方部、すなわち、各空調ユニット部Ａの左右側方部には室内へ空気を吹き出す室内吹出口４が形成されている。この室内吹出口４には、図５及び図６に示すように、吹出空気の上下方向の吹出角度を調節するための風向板４ａが取り付けられている。なお、本体ケーシング１の中央部に形成される室内吹出口４及びこの室内吹出口４に取り付けられる風向板４ａは両空調ユニット部Ａに跨るように形成されている。また、室内ファン２の外周から吹き出された空気を室内吹出口４に案内する空気通路５が形成され、この空気通路５内における室内吹出口４の手前それぞれには、循環する室内空気を冷却又は加熱する熱交換器６が配置され、各熱交換器６には過冷却熱交換器７が取り付けられている。
【００１９】
熱交換器６は、図７に示すように、複数の扁平チューブ６ａを鉛直方向に立てて平行に配置し、この扁平チューブ６ａ間にコルゲートフィン６ｂを介在させたものであって、左右の熱交換器６は本体ケーシング１内の底部スペースを利用して配管接続されている。また、過冷却熱交換器７は、暖房運転時に熱交換器６で凝縮液化した液冷媒を過冷却するためのものであって、図８に示すような、配管７ａにスパインフィン７ｂを巻き付けた構造のものである。
【００２０】
前述の室内吹出口４のうち、本体ケーシング１の左右側方部に形成された室内吹出口４は、図２〜５に示すように、それぞれ開きドア式に開閉する前面パネル８により閉鎖され、運転開始とともに開放されるように構成されている。
【００２１】
また、本体ケーシング１の中央部の室内吹出口４と室内空気吸込口３は、空調ユニット部Ａ毎に１枚の前面パネル１０により開閉されるように構成されている。この前面パネル１０は、図３〜図５に示すように本体ケーシング１の前面に対し平行位置を保持しながら前方に移動して開閉するように形成されている。そして、この前面パネル１０は、閉鎖状態では図２に示すように、本体ケーシング１の中央部において隣接する空調ユニット部Ａの前面パネル１０に接近し、本体ケーシング１の左右側方部では前述の室内吹出口４を開閉する前面パネル８に接近するように形成されている。また、２個の室内空気吸込口３の前面パネル１０及び２個の室内吹出口４の前面パネル８は、全て同一の厚みに形成されているので、運転停止状態においては全てが同一の平板状の面に形成され、シンプルなデザインとなるように形成されている。
【００２２】
運転時の室内吹出口４は、図３〜図５に示すように、運転時に前面パネル８及び前面パネル１０が開放されるので、左右の室内吹出口４及び中央部の室内吹出口４の前方が開かれ、冷却又は加熱された空気を前方に吹き出すことができる（図３の矢印Ｆ１参照）。
【００２３】
運転時、室内空気吸込口３に取り付けられている前面パネル１０は、図３〜図５に示すように、前面パネル１０の両側部を支持する駆動パネル１１が回転して，本体ケーシング１の前面に対し平行な位置を保持しながら前方に移動するように形成されている。また、室内空気吸込口３と隣接する室内吹出口４との間が駆動パネル１１により仕切られた構成となっているため、室内空気吸込口３と室内吹出口４との間のショートサーキットが防止される。また、前面パネル１０と本体ケーシング１の前面との間に形成された上下の間隙１０ａから室内空気を吸い込むように構成されている（図３の矢印Ｆ２参照）。これにより、前面パネル１０の開閉により形成される間隙１０ａから室内空気吸込口３に至る吸込側空気経路が形成される。したがって、本実施の形態においては、室内空気吸込口３の開度は、この間隙１０ａの大きさにより決定されるので、前面パネル１０の上端と本体ケーシング１の上端との間に形成される間隙寸法Ｈがこの実施の形態における室内空気吸込口３の開度を表示することができる。
【００２４】
次に、室内空気吸込口３に取り付けられている前面パネル１０の開閉機構について、図９に基づき説明する。
前面パネル１０と駆動パネル１１との連結は、前面パネル１０の内面に支持突起１２が突設され、この支持突起１２に対しピン１３を介し駆動パネル１１の外端が回動自在に支持されている。したがって、前面パネル１０と駆動パネル１１とは、回動自在に連結されている。
【００２５】
次に、駆動パネル１１と本体ケーシング１との連結部について説明する。
駆動パネル１１の内端には、円弧形状の歯車１４が矢印Ｒ方向に回転自在に軸支されている。また、この円弧形状の歯車１４は、本体ケーシング１の前面と平行な位置において
左右方向に摺動するスライド部材１５の一端側に形成されたラック１６と噛合している。また、このスライド部材１５は、他端側にもラック１７を有し、このラック１７がモータ１８の回転軸に固定された円形歯車１９と噛合しており、図９（ｂ）に示すようにモータ１８の駆動によりＸ方向（左右方向）に移動可能に形成されている。
【００２６】
したがって、このモータ１８の駆動によりスライド部材１５を左右方向（すなわち、Ｘ方向）に移動し、これにより駆動パネル１１を回転させて、前面パネル１０を図９（ａ）の閉鎖状態から同図（ｂ）の全開状態まで移動させることができる。また、その途中においてモータ１８を所定の位置で停止させることにより、前面パネル１０を所定の中間位置に移動して固定することができるように構成されている。
【００２７】
上記前面パネル１０は、図４（ｂ）に示すような全開位置と、図４（ａ）に示すような中間位置とに選択して開放できるように形成されている。この中間位置は、本体ケーシング１と前面パネル１０との間に形成される間隙１０ａの間隙寸法Ｈが全開時の２／３程度となるように設定されている。また、後述する運転音モードにおいては、この中間位置が通常モードにおける前面パネル１０の開放位置としている。なお、この位置は、薄型のイメージを残しながら運転を可能とする。また、全開位置は、静かモードにおける前面パネル１０の開放位置である。この位置にすると、薄型のイメージが薄れるおそれがあるが、室内空気吸込口３の開度（すなわち、間隙寸法Ｈ）が大きくなり、間隙１０ａにおける通風抵抗が小さくなる分風量が大きくなるとともに、騒音が低下する。これについては特定の機種により実験的に確認された。
【００２８】
次に、以上のような構造を備えた空気調和機の制御回路及び制御について図１に基づき説明する。
この空気調和機は、図１に示すように、操作部２０には電源をオンオフする電源スイッチ２１、好みの運転態様を選択する運転制御スイッチ２２、好みの運転音を選択する運転音モードスイッチ２３などから構成されている。運転態様を選択する運転制御スイッチ２２には、好みの室温を設定する室温設定スイッチ２２ａ、冷房運転か暖房運転かを選択する冷暖房切換スイッチ２２ｂ、能力を大小変化させる能力切換スイッチ２２ｃ、風量を大小変化させる風量切換スイッチ２２ｄ、運転時間を設定するタイマースイッチ２２ｅなどが包含される。そして、運転制御スイッチ２２で選択された運転態様情報は、運転制御回路２５に伝達され、室温サーモ２６からの現在の室温情報を加味しながら必要な制御情報が圧縮機駆動回路２７、制御弁駆動回路２８及び送風機駆動回路２９に伝達され、伝達された情報に従い圧縮機及び室内ファン２が運転されるとともに制御弁が制御される。
【００２９】
また、運転音モードスイッチ２３には、運転音を通常とする通常モードスイッチ３１と、運転音を静かにする静かモードスイッチ３２の何れかを選択可能に形成されている。また、この運転音モードスイッチ２３は、前述の運転制御スイッチ２２の操作によりどのような運転態様が選択されるかとは関係なく操作されるので、選択された運転態様とは関係なく通常モードか、静かモードかを選択することができる。そして、この運転音モードスイッチ２３により好みの運転音モードが選択された場合は、その情報が前面パネル制御回路３３に伝達され、この前面パネル制御回路３３から前面パネル１０を駆動するために必要な情報が前面パネル駆動回路３４に伝達される。これにより、通常モードが選択された場合は、前面パネル１０は前述の中間位置まで開放される。また、静かモードが選択された場合は前面パネル１０は前述の全開位置まで開放される。なお、この空気調和機の場合は、運転開始時は自動的に通常モードが選択されるように構成されている。
【００３０】
本実施の形態に係る空気調和機は、以上のように構成されて動作するので、次のような効果を奏することができる。
（１）運転音モードスイッチ２３により静かモードが選択されたときには、室内ファン
２の回転数を低下させずに前面パネル１０による室内空気吸込口３の開度（この実施の形態では間隙寸法Ｈ）が通常モード時より大きくなるように制御されるので、風量が通常モードの場合より大きくなり、その分能力向上を図りながら運転音を低くすることができる。図１０は、運転音モードスイッチ２３による操作により運転音変化の効果を説明するものである。この図に示すように、前述の構成を成す、８畳和室用程度の容量の空気調和機で実験した結果では、静かモード運転時と通常モード運転時とで前面パネル１０と本体ケーシング１の前面との間隙１０ａの間隙寸法Ｈが約２０ミリ異なり、運転音が約２ｄＢＡ小さくなったことを示している。
【００３１】
（２）前面パネル１０の開閉により室内空気吸込口３を開閉するとともにその開度を変更するように形成されているため、前面パネル１０自体には室内空気を吸い込む吸込口を形成する必要がない。これにより前面パネル１０を滑らかな面形状とすることができるので、この空気調和機を室内と調和させ易いデザインにすることができる。
【００３２】
（３）前述のように構成されているので、基本的には室内ファン２の軸方向寸法により空気調和機の前後方向の厚さを設定することができるため、超薄型の空気調和機を実現することができる。
【００３３】
（４）本体ケーシング１内において、空気調和機としての構成を備えた空調ユニット部Ａが連接された形態となっているので、超薄型の空気調和機としながら能力を大きくすることができる。また、このように能力を大きくした空気調和機においても前述と同様に前面パネル１０による室内空気吸込口３の開度を変更させることにより静か運転を行うことができる。
【００３４】
（５）室内空気吸込口３に取り付けられる前面パネル１０は、本体ケーシング１の前面に対し前方に平行移動することにより、本体ケーシング１の前面との間に室内空気を吸い込む間隙１０ａを形成し、この間隙寸法（この実施の形態においては間隙寸法Ｈ）により室内空気吸込口３の開度を変更するように形成している。したがって、前面パネル１０がフラット化された薄型の空気調和機のイメージを残しながら室内空気吸込口３から室内空気を吸い込むことができる。また、前面パネル１０の移動に伴う室内空気吸込口３における通風抵抗の変化が大きくなるので、前面パネル１０の移動により運転音を選択することが容易になる。
【００３５】
（６）前面パネル１０が平面状のパネルに形成されているので、シンプルなデザインとなり室内との調和を図ることが容易になるとともに、薄型のイメージをより一層発揮することができる。
【００３６】
（７）静かモードが選択されたときには、送風機及び圧縮機の回転数を変化させるようなことをしない。また、前面パネル１０による室内空気吸込口３の開度のみが通常モード時より大きくするように制御されるので、空気調和機の能力を大きく変更することなく運転音のみを変更することができる。
【００３７】
（８）運転音モードを選択する運転音モードスイッチ２３を有するとともに、この運転音モードスイッチ２３とは別に運転態様を選択する運転制御スイッチ２２を備えているので、運転音モードの選択と運転態様の選択と個別に行うことができる。したがって、運転音モードと運転態様との組合せにより多様な運転を行うことができる。
【００３８】
（変形例）
上記実施の形態において以下のように変更することもできる。
・室内空気吸込口３を開閉する前面パネル１０と本体ケーシング１の中央部に形成され
る室内吹出口４を開閉する前面パネルとを別体としてもよい。
【００３９】
・また、前面パネル１０は、前述の平板状のパネルに限定されるものではないが、薄型のイメージを発揮するシンプルな形状であることが好ましい。このようなものとしては、例えば、平板ではなく緩やかな曲面により形成されているものでもよい。
【００４０】
・また、この場合において、駆動パネル１１を回転させることにより前面パネル１０を前方へ平行移動させるのではなく、駆動パネル１１を引き出し式に前方に引き出す構造とし前面パネル１０を前方へ平行移動させるようにしてもよい。なお、ここでは詳細構造は省略するが、この引き出し式の移動による開閉は電動モータにより電気的に行うことが好ましい。
【００４１】
・通常モードの位置は、静かモード時に比し間隙寸法Ｈが２／３程度になるように設定されているが、通常モード時のデザインを重視する思想の場合は、もう少し小さくすることも可能である。また、運転音を静かにすることを重視する場合は、静かモード時に駆動パネル１１の本体ケーシング１に対する角度が直角になるまで開くようにすることによりもう少し間隙寸法Ｈを大きくして、運転音をさらに縮小することもできる。
【００４２】
・図１において、運転制御スイッチ２２の具体例を記載しているが、他の機能を行うスイッチを追加してもよい。また、今記載されているスイッチの一部を省略してもよい。また、今記載されているスイッチによる機能の幾つかを組み合わせた複合機能のスイッチに変更してもよい。
【００４３】
・前記実施の形態においては、本体ケーシング１内に２組の空調ユニット部Ａが左右方向に連接された形態に構成されているが、これを一組の空調ユニット部Ａとしてもよいし、あるいは、三組以上の空調ユニット部Ａの組合せとしてもよい。
【００４４】
・本発明に係る空気調和機は、壁掛け型としての構成とされているが、床置き型空気調和機に適用することもできる。また、換気機能や、空気清浄機機能などをなど各種用途向けの空気調和機に幅広く使用することができる。
【符号の説明】
【００４５】
Ａ…空調ユニット部、Ｈ…間隙寸法、１…本体ケーシング、２…室内ファン、２ａ…空気吸入口、３…室内空気吸込口、４…室内吹出口、５…空気通路、６…熱交換器、１０…前面パネル、１０ａ…間隙、２２…運転制御スイッチ、２３…運転音モードスイッチ。
【図１】
2010276301.tif 000003
【図２】
2010276301.tif 000004
【図３】
2010276301.tif 000005
【図４】
2010276301.tif 000006
【図５】
2010276301.tif 000007
【図６】
2010276301.tif 000008
【図７】
2010276301.tif 000009
【図８】
2010276301.tif 000010
【図９】
2010276301.tif 000011
【図１０】
2010276301.tif 000012